(57)【特許請求の範囲】
【請求項１】
内燃機関の噴射弁の制御のためのマグネット弁であって、電磁石（２９）、接極子プレート（２８）及び定置の滑り案内部材（３４）の開口（４０）内に摺動可能に支承された接極子ピン（２７）から成る運動可能な接極子、燃料貫通路（１７）の開閉のために接極子と一緒に運動可能でかつ弁座（２４）と協働する制御弁部材（２５）、並びに接極子ピン（２７）の、電磁石（２９）と逆の側の端部に形成された肩部（３３）を備えており、肩部がマグネット弁の開放に際して接極子ピンの開放行程を、滑り案内部材（３４）の、弁座（２４）に向けられたストッパ面（３７）での支持によって制限するようになっており、接極子プレート（２８）が慣性質量の作用下で制御弁部材（２５）の閉鎖方向へ接極子ピン（２７）に沿って摺動可能に支承されており、接極子ピン（２７）に形成された肩部（３３）が、中間部材（５０）を介在して滑り案内部材（３５）のストッパ面（３７）に支持されるようになっており、中間部材（５０）が、接極子ピン（２７）に差しはめ可能な鎌形プレートとして形成されており、鎌形プレート（５０）の半径方向の位置の確保のための手段（８０）を設けてあり、該手段が接極子ピン（２７）からの鎌形プレートの外れを防止している形式のものにおいて、鎌形プレート（５０）の半径方向の位置の確保のための手段（８０）が、鎌形プレート（５０）に被せはめられかつ滑り案内部材（３４）に固定されたスリーブを含んでいる特徴とする、内燃機関の噴射弁の制御のためのマグネット弁。
【請求項２】
スリーブ（８０）が滑り案内部材（３４）の、弁座（２４）に向かって突出する管状部（４５）に差しはめられており、スリーブの内径が鎌形プレート（５０）の外径よりもわずかに大きく構成されている請求項１記載のマグネット弁。
【請求項３】
スリーブ（８０）に係止手段（８１）を設けてあり、該係止手段が該スリーブの固定のために、滑り案内部材（３４）の管状部（４５）に形成された凹所（４６）内に係合している請求項２記載のマグネット弁。
【請求項４】
接極子プレート（２８）が接極子ピン（２７）上に、滑り案内部材（３４）に支えられた戻しばね（３５）の締め付け力に抗して、接極子ピンに形成された第１のストッパ（２６ａ）と第２のストッパとの間で運動可能に支承されており、前記第２のストッパが滑り案内部材（３４）の、電磁石（２９）に向けられた別のストッパ面（３６）によって形成されている請求項１から３のいずれか１項記載のマグネット弁。
【請求項５】
滑り案内部材の別のストッパ面（３６）と接極子プレート（３８）の、前記別のストッパ面に向けられた面（６６）とによって、接極子ピン（２７）に沿った接極子プレート（２８）の運動の減衰のための液圧式の減衰室が形成されるようになっている請求項４記載のマグネット弁。
【請求項６】
接極子ピン（２７）、接極子プレート（２８）、滑り案内部材（３４）及び中間部材（５０）から成る構成ユニットが、前もって組み立てられた構成群としてマグネット弁（３０）のケーシング部分（６０）内に挿入されるようになっている請求項１から５のいずれか１項記載のマグネット弁。
【発明の詳細な説明】
【０００１】
【発明の属する技術分野】
本発明は、内燃機関の噴射弁の制御のための、請求項１の上位概念に記載の形式のマグネット弁に関する。
【０００２】
【従来の技術】
例えばドイツ連邦共和国特許出願公開第１９７０８１０４Ａ１号明細書により公知のマグネット弁は、噴射弁、例えばコモンレール形噴射装置のインジェクターの制御圧力室内の燃料圧力の制御のために用いられる。制御圧力室内の燃料圧力によって、弁プランジャーの運動が制御されて、噴射弁の噴射開口が開かれ若しくは閉じられる。該公知のマグネット弁は、ケーシング部分内に配置された電磁石、運動可能な接極子及び、該接極子と一緒に運動可能でかつ閉鎖ばねによって閉鎖方向に負荷された制御弁部材を有しており、制御弁部材がマグネット弁の弁座と協働して、制御圧力室からの燃料流出を制御する。
【０００３】
接極子プレートと接極子ピンとを一体的に形成し成るマグネット弁においては欠点がいわゆる接極子バウンド（跳ね返り）にある。電磁石の遮断に際して、接極子及び該接極子と一緒に制御弁部材が閉鎖ばねによって弁座に向けて加速され、制御圧力室からの燃料流出通路を閉鎖するようになっている。弁座への制御弁部材の衝突が、弁座での制御弁部材の不都合なバウンド及び／又は振動を生ぜしめ、これによって噴射過程の制御が損なわれる。従って、ドイツ連邦共和国特許出願公開第１９７０８１０４Ａ１号明細書により公知のマグネット弁においては、接極子が接極子ピンと該接極子ピンに摺動可能に支承された接極子プレートとの二部構造で形成されており、その結果、接極子プレートが制御弁部材と弁座との間の衝突に際して戻しばねの締め付け力に抗して引き続き運動する。その後で、戻しばねが接極子プレートを再び、接極子ピンのストッパに隣接する出発位置へ戻す。
【０００４】
接極子の二部構造の構成によって、慣性質量が効果的に制動され、ひいては弁座にぶつかる接極子の、バウンドの原因となる運動エネルギーが減少されるものの、接極子プレートがマグネット弁の閉鎖の後に接極子ピン上で不都合に振動（後振動）する。マグネット弁の制御は、接極子プレートが振動しない場合にのみ規定された噴射量を生ぜしめるので、接極子プレートの振動を減少させるための手段が必要である。このことは特に、例えばパイロット噴射と主噴射との間の時間的な間隔を短くするために必要である。このために、ドイツ連邦共和国特許出願公開第１９７０８１０４Ａ１号明細書に記載の技術では、滑り案内部材に載設された過行程調節プレート若しくは慣性運動行程距離調節プレートの形の過行程ストッパが設けられており、該過行程調節ストッパによって、接極子ピンに沿って接極子プレートを移動させ得る行程長さが制限されるようになっている。過行程調節プレートが接極子プレートと接極子ピンを案内する滑り案内部材との間で不動（定置）にマグネット弁のケーシング内に配置されている。過行程調節プレートへの接極子プレートの接近に際して、接極子プレートと過行程調節プレートの互いに向き合わされた平らな面間に液圧式の減衰室が生じる。減衰室内にある燃料が、接極子プレートの運動と逆向きの力を形成する。これによって接極子プレートの振動（後振動）が強く減衰される。
【０００５】
前記公知のマグネット弁においては、接極子プレートの必要な過行程が、マグネット弁をマグネット弁のケーシング内で組み立てる際に調節されねばならず、この場合、制御弁部材と弁座との接触の後に戻しばねの力に抗して接極子プレートを運動（移動）させ得る距離（行程）が、過行程調節プレートの厚さによって調節される。該マグネット弁においては欠点として、過行程調節プレートを接極子プレートの戻しばねの下側に組み込むことは煩雑で時間を必要とする。過行程調節プレートを接極子プレートの戻しばねの下側に組み込むために、過行程調節プレートに複雑な鍵穴状の切欠きが必要である。さらに過行程調節プレートは電磁石の磁極面と接極子プレートとの間の間隔にも影響を及ぼすので、過行程調節プレートの厚さの変更によって残留空隙が損なわれ、このことは組み立てを困難にする。
【０００６】
【発明の効果】
請求項１に記載の特徴を有する本発明に基づくマグネット弁は、前記公知技術の欠点を排除して、接極子プレートの著しく簡単な組み立てを可能にする。有利には、接極子が噴射弁の組み立てラインの外側で接極子プレート、接極子ピン、戻しばね及び中間部材で以て前もって組み立てられ、かつ接極子ピン上での接極子プレートの必要な移動距離若しくは過行程距離が噴射弁のケーシングの外側で中間部材の厚さの選択によって調節される。接極子プレート、滑り案内部材及び接極子ピンの軸線方向の寸法がわかっているので、中間部材のための正しい厚さが決められる。前もって組み立てられて完成した接極子ユニット（構成群）が、次のプロセスでマグネット弁のケーシング内に組み込まれる。この組み込みに際して、滑り案内部材とマグネット弁ケーシングの内側肩部との間に配置する調節プレートを用いて接極子ピンの最大の開放行程が調節される。
【０００７】
本発明の有利な改善及び実施態様が、従属項に記載の手段によって可能である。特に有利には、中間部材が鎌形プレートとして形成され、鎌形プレートが側方から接極子ピンに差しはめられる。
【０００８】
有利には、滑り案内部材に被せはめられた確保スリーブ若しくは保持スリーブが、接極子ピンからの鎌形プレートの外れ（滑り落ち）を防止する。確保スリーブ若しくは保持スリーブが、有利には係止エレメントを介して滑り案内部材に取り付けられ、即ち結合される。
【０００９】
【発明の実施の形態】
図１は、公知技術の燃料噴射弁の上側の部分を示しており、該燃料噴射弁は燃料蓄圧器を備えた燃料噴射装置内への使用に適しており、燃料蓄圧器が高圧フィードポンプによって高圧燃料を連続的に供給されるようになっている。図示の燃料噴射弁は弁ケーシング４を有しており、弁ケーシングが縦孔（軸線方向に延びる孔）を備えており、縦孔内に弁プランジャー６を配置してあり、弁プランジャーが一方の端部で以て、図示していないノズル本体内に配置された弁ニードルに作用している。弁ニードルが圧力室内に配置されており、圧力室が圧力孔を介して高圧の燃料を供給されるようになっている。弁プランジャー６の開放行程運動に際して、弁ニードルが圧力室内の、弁ニードルの圧力肩部に常に作用する燃料高圧によって持ち上げられるようになっている。これによって圧力室に接続された噴射開口を通して、内燃機関の燃焼室内への燃料の噴射が行われる。弁プランジャー６の降下運動によって、弁ニードルが閉鎖方向で燃料噴射弁の弁座に圧着されて、噴射過程が終了される。
【００１０】
弁プランジャー６は弁ニードルと逆の側の端部でシリンダー孔内に案内されており、シリンダー孔が弁部材１２内に形成されており、弁部材が弁ケーシング４内に挿入されている。弁プランジャー６の端面１３がシリンダー孔内で制御圧力室１４を閉鎖しており、制御圧力室が流入通路を介して図示していない燃料高圧接続部に接続されている。流入通路は実質的に三部構造で構成されている。弁部材１２の壁を半径方向に貫いて延びていて内壁側で該壁の厚さの一部分にわたって流入絞り１５を形成してなる孔が、弁部材の外周を取り囲むリング室１６に常に接続されており、リング室自体は燃料高圧接続部に常に接続されている。制御圧力室１４が流入絞り１５を介して、燃料蓄圧器内に作用する高い燃料圧力を受けている。弁プランジャー６に対して同軸的に制御圧力室１４から分岐して弁部材１２内を延びる孔を設けてあり、該孔が燃料流出通路１７を形成しており、燃料流出通路が流出絞り１８を備えていて、放圧室１９内に開口しており、放圧室が燃料低圧接続部（図示せず）に接続されており、燃料低圧接続部が燃料噴射弁の燃料戻し通路に接続されている。弁部材１２からの燃料流出通路１７の出口が、弁部材１２の外側に位置する端部に円錐形に凹設された部分２１の領域に設けられている。弁部材１２がフランジ区分２２でねじ部材２３を用いて弁ケーシング４に堅く締め付けられている。
【００１１】
円錐形の部分（凹設部）２１に弁座２４を形成してあり、弁座が、噴射弁を制御するマグネット弁３０の制御弁部材２５と協働するようになっている。制御弁部材２５が、接極子ピン２７及び接極子プレート２８の形の二部構造の接極子に連結されており、接極子がマグネット弁３０の電磁石２９と協働するようになっている。マグネット弁３０がさらに、電磁石２９の受容のためのケーシング部分６０を有しており、該ケーシング部分がねじはめ可能な結合部材７を用いて弁ケーシング４に堅く結合されている。公知のマグネット弁においては、接極子プレート２８が自体の慣性質量の作用下で戻しばね３５の初期荷重（締め付け力）に抗して運動力学的に移動可能に接極子ピン２７に支承されていて、かつ静止状態では前記戻しばねによって、接極子ピンに固定されたストップリング２６に向けて圧着されている。戻しばね３５は他方の端部で行程調節プレート７０に支えられており、行程調節プレートが滑り案内部材３４に支持されており、滑り案内部材が接極子ピン２７を案内している。滑り案内部材３４がフランジ３２を有しており、該フランジが行程調節プレート７０及び別の調節プレート３８と一緒に弁ケーシング４の締め付け肩部４２とケーシング部分６０の環状の縁部４１との間に堅く締め付けられている。接極子ピン２７、接極子プレート２８及び前記接極子ピンに連結された制御弁部材２５が、ケーシングに支えられた閉鎖ばね３１によって常に閉鎖方向に負荷されており、従って、制御弁部材２５が通常は閉鎖位置で弁座２４に接触している。電磁石の励磁に際して、接極子プレート２８及び接極子ピン２７が電磁石によって引き寄せられ、これによって流出通路１７が放圧室１９に向けて開放される。接極子ピン２７が電磁石２９と逆の側の端部にリング肩部３３を有しており、該リング肩部が電磁石の励磁の際に滑り案内部材３４のリング状のストッパ面３７に当接して、制御弁部材２５の開放行程を制限するようになっている。該開放行程の調節のために、フランジ３２と締め付け肩部４２との間に配置された調節プレート３８が役立っている。
【００１２】
燃料噴射弁の開閉がマグネット弁３０によって次に述べるように行われる。すでに説明してあるように、接極子ピン２７が閉鎖ばね３１によって常に閉鎖方向に負荷されており、従って、制御弁部材２５が電磁石の非励磁状態では閉鎖位置で弁座２４に接触しており、制御圧力室１４が放圧室１９に対して閉鎖されており、その結果、制御圧力室内に流入通路を介して、燃料蓄圧器内に作用している高い圧力が著しく急速に形成される。制御圧力室１４内の該圧力が弁プランジャー６の端面１３を介して該弁プランジャーに、ひいては弁ニードルに閉鎖力を生ぜしめ、該閉鎖力は他方で開放方向に作用する力よりも大きくなっている。マグネット弁の開放によって制御圧力室１４を放圧室１９に向けて開放すると、容積の小さな制御圧力室１４内の圧力が著しく急速に降下し、それというのは制御圧力室と高圧側との間に流入絞り１５があるからである。その結果、弁ニードルに作用する燃料高圧の、弁ニードルを開放方向へ負荷する力が上回り、従って弁ニードルが上方へ運動させられ、これによって少なくとも１つの噴射開口が噴射のために開かれる。これに対して、マグネット弁３０が燃料流出通路１７を閉鎖すると、制御圧力室１４内に圧力が流入絞り１５を介して補充された燃料によって再び形成され、その結果、もとの閉鎖力が生じて、燃料噴射弁の弁ニードルを閉鎖する。
【００１３】
マグネット弁の閉鎖に際して、閉鎖ばね３１が接極子ピン２７を制御弁部材２５と一緒に弁座２４に向けて衝撃的に押圧する。弁座で制御弁部材、ひいては接極子ピンをストップさせる、即ち止めることによって接極子ピンの弾性的な変形が生じて、接極子ピンが蓄力器として作用することに基づき、制御弁部材の不都合なバウンド若しくは振動が生じ、この場合、エネルギーの一部分は再び制御弁部材に伝達され、制御弁部材が接極子ピンと一緒に弁座２４からバウンドすることになる。従って、図１に示す公知のマグネット弁は、接極子ピン２７及び該接極子ピンから連結解除可能な接極子プレート２８から成る二部構造の接極子を用いている。これによって、弁座２４にぶつから慣性質量が減少されるものの、接極子プレート２８が不都合に振動してしまうことになる。このような理由から、図１に示す公知のマグネット弁においては、接極子プレート２８と滑りスリーブ３４との間に過行程調節プレート７０が設けられている。図１には、マグネット弁は電磁石２９の遮断によって閉じられた状態で示してある。過行程調節プレート７０は、接極子ピンのための煩雑な鍵穴状の開口７１を有している。このような開口７１は、組み立てに際して接極子プレート２８が管状部６５で以て開口７１を通して移動させられて、次いで鎌形プレート２６を接極子ピン２７に差しはめるようにするために必要である。過行程調節プレート７０が接極子ピン２７に沿った接極子プレート２８の移動距離を所定の寸法ｄに制限している。接極子プレート２８の振動運動が過行程調節プレート７０によって減少せしめられ、かつ接極子プレート２８が迅速に再び、鎌形プレートとして形成されたストッパ２６に隣接の出発位置（図１に示す位置）に戻される。調節プレート３８、滑り案内部材３４のフランジ３２及び、過行程調節プレート７０がマグネット弁ケーシング内に締め付けて固定される。過行程調節プレート７０の厚さが接極子プレート２８と電磁石２９との間の間隔に影響を及ぼす。従って、公知のマグネット弁及び該マグネット弁を備えた噴射弁の製造はまさに費用がかかり、かつ面倒である。
【００１４】
図２は、本発明に基づくマグネット弁の実施例を示している。同じ部材には同じ符号が付けてある。本発明に基づくマグネット弁においては、接極子ピン２７の最大の開放行程が調節プレート３８を用いて調節される。滑り案内部材３４の環状のフランジ３２が、調節プレート３８及び、電磁石２９の磁極面と接極子プレート２８との間の間隔の調節のための別の調節プレート７０ａを介在して、ケーシング部分６０の環状の縁部４１とケーシング部分４の締め付け肩部４２との間に緊締されている。調節プレート７０ａは接極子プレート２８の過行程距離を調節するものではない。
【００１５】
本発明の理解を容易にするために図３に、接極子プレート２８、接極子ピン２７、戻しばね３５、中間部材５０及び滑り案内部材３４から成る接極子ユニットが拡大して示してある。該接極子ユニットの組み立てが有利には燃料噴射弁のケーシングの外側で行われてよい。図３には、接極子ピン２７が図２と異なって、電磁石２９によって接極子プレート２８を引き寄せてマグネット弁を完全に開放した状態に対応する位置で示してある。接極子プレート２８が戻しばね３５を用いて、接極子ピン２７の環状の突出部によって形成されたストッパ２６ａに圧着されている。接極子ピン２７の、電磁石と逆の側の端部が、滑り案内部材に向いたリング肩部３３を有しており、該リング肩部が、接極子ピン上へ差しはめられた中間部材５０に接触している。中間部材５０が滑り案内部材３４のリング状のストッパ面３７に支えられている。マグネット弁の開放に際して中間部材５０を介在してリング肩部３３をストッパ面３７でストップさせる、即ち支持若しくは受け止めることによって、接極子ピン２７及び該接極子ピンに結合された制御弁部材２５の最大の開放行程が制限される。中間部材が一体構造で若しくは複数構造で、かつ特にプレート状に形成されていてよい。ここに示す実施例では中間部材は、図４及び図５に図示してあるように、鎌形プレート(Sichelscheibe)として形成されている。鎌形プレート、即ち中間部材５０の互いに相対する面５１，５２間の間隔ｃ、つまり厚さｃによって、接極子プレート２８の過行程距離ｄが規定されている。鎌形プレートの内径ｇが接極子ピン２７のリング溝４４の溝直径よりもわずかに大きく構成されており、該リング溝内に鎌形プレートが差し込まれている。リング溝４４の幅は、使用されるすべての鎌形プレートの厚さｃよりも大きく設定されている。接極子プレートの軸線方向の寸法ａ、滑り案内部材の軸線方向の寸法ｂ、及び接極子ピンのストッパ２６ａからリング肩部３３までの軸線方向の寸法（距離若しくは間隔）ｆが予め設定されている。
【００１６】
ｆ＝ａ＋ｂ＋ｃ＋ｄ＋ｅの関係（数式）、換言すればｄ＋ｅ＝ｆ−ａ−ｂ−ｃの関係から、ｄ＋ｅの量（寸法）が鎌形プレート（中間部材）の厚さｃに依存して規定される。ｄ＋ｅの量は、接極子ピンの最大の開放行程ｅと滑り案内部材３４のストッパ面３６に当接するまでの接極子プレート２８の最大の過行程距離ｄとの合計から成っている。調節すべき最大の開放行程ｅが決められると、接極子プレート２８の最大の過行程距離ｄが、接極子ユニットの組み立て（前組み立て）時に鎌形プレート５０の厚さｃに依存して正確に生ぜしめられる。接極子ピンに差しはめられた鎌形プレート５０が、スリーブ８０によって半径方向の位置を確保されて、即ち半径方向で位置決めされている。スリーブ８０が図６及び図７に示してある。スリーブ８０の内径は鎌形プレート５０の外径ｈよりも大きくなっている。スリーブ８０の一方の端部が内側へ突出するリブ８３を備えている。軸線方向に延びる切欠き８２によってスリーブ８０に係止エレメント８１が形成されている。スリーブ８０が、図２及び図３に示してあるように、滑り案内部材３４のストッパ面３６と逆の側の管状部４５に差しはめられて、係止エレメント８１が管状部４５の外周壁の凹設部４６内に係合している。この場合、スリーブ８１が鎌形プレート５０の外周に沿って滑動して、該鎌形プレートを内部に収容しており、これによって鎌形プレート５０が半径方向の位置を確保されている。
【００１７】
前もって組み立てられた接極子ユニット（図３）が、図２に示してあるように、弁ケーシング内に挿入される。調節プレート３８の厚さは、制御弁部材２５と弁座２４との間の所定の最大の開放行程ｅを正確に保つように選ばれる。調節プレート７０ａによって接極子プレート２８と電磁石との間の間隔（ｊ、図１参照）が規定される。
【００１８】
すでに述べてあるように、マグネット弁の閉鎖に際して閉鎖ばね（接極子ばね）３１が接極子ピン２７を介して制御弁部材２５を弁座２４内へ押圧し、さらに接極子プレート２８が戻しばね３５の締め付け力に抗して接極子ピン２７に沿って引き続き運動して、滑り案内部材３４のストッパ面３６に接触する。接極子プレート２８の、滑り案内部材に向かって突出する管状部６５の、ストッパ面３６に向いた面６６（図３）が、ストッパ面３６と協働して液圧式の減衰室を形成する。面６６とストッパ面３６との間の減衰室（間隙）内にある燃料によって、接極子プレートの衝突若しくは振動が効果的に減衰される。本発明に基づくマグネット弁においては、ストッパ面３６が有利には平らな面(ebene Flaeche)として形成されている。開口７１を備えた調節プレート７０に接極子プレートを接近させる従来形式のマグネット弁（図１）に比べ、図３に示す本発明に基づくマグネット弁においては減衰作用の改善が達成され、それというのは減衰室が広く形成されるからである。
【００１９】
図示の実施例の変化例として、中間部材（中間片）が複数のプレート若しくはディスクによって構成されてよい。プレート状でない中間部材も考えられる。中間部材を形状係合的に、即ち形状による束縛に基づき接極子ピンに保持する場合には、中間部材を半径方向で保持するスリーブが省略されてよい。中間部材を弾性的に変形可能に構成して、接極子ピンのリング溝４４内にいわばクリップのようにはめ込むことも考えられる。
【図面の簡単な説明】
【図１】公知技術のマグネット弁を備えた燃料噴射弁の上側の部分の断面図。
【図２】本発明に基づくマグネット弁の実施例の上側の部分の断面図。
【図３】図２の実施例の接極子ユニットの断面図。
【図４】中間部材の実施例の断面図。
【図５】図４の中間部材の平面図。
【図６】スリーブの、図７のＡ−Ａ線に沿って部分的に破断した側面図。
【図７】図６のスリーブの平面図。
【符号の説明】
４  弁ケーシング、  ６  弁プランジャー、  ７  結合部材、  １２  弁部材、  １３  端面、  １４  制御圧力室、  １５  流入絞り、  １６  リング室、１７  燃料流出通路、  １８  流出絞り、  １９  放圧室、  ２１  部分、  ２２  フランジ区分、  ２３  ねじ部材、  ２４  弁座、  ２５  制御弁部材、２６  ストップリング、  ２７  接極子ピン、  ２８  接極子プレート、  ２９  電磁石、  ３０  マグネット弁、  ３１  閉鎖ばね、  ３２  フランジ、  ３３  リング肩部、  ３４  滑り案内部材、  ３５  戻しばね、  ３６，３７  ストッパ面、  ３８  調節プレート、  ４１  環状の縁部、  ４２  締め付け肩部、  ４５  管状部、  ５０  中間部材、  ６０  ケーシング部分、  ７０  行程調節プレート、  ６５  管状部、  ６６  面、  ８０  スリーブ、  ８１  係止エレメント、  ８２  切欠き、  ８３  リブ
【図１】
0003663389.tif 000002
【図２】
0003663389.tif 000003
【図３】
0003663389.tif 000004
【図４】
0003663389.tif 000005
【図５】
0003663389.tif 000006
【図６】
0003663389.tif 000007
【図７】
0003663389.tif 000008